(57)【特許請求の範囲】
【請求項１】
少なくとも、放射線を受けることで電荷を蓄積する画素が二次元配列されて構成され、前記放射線に基づく画像を撮像する撮像プレートと、前記撮像プレートで撮像された画像のデータを記憶する画像データメモリと、前記撮像プレート及び前記画像データメモリに電力を供給する電源部とが、密閉された筐体内に収容された放射線撮像装置であって、
前記筐体内に設けられ、非接触型の充電装置の一部を構成し、外部に設けられた一次側コイルユニットから電磁誘導作用により受ける電力で前記電源部を充電するための二次側コイルユニットと、
前記電源部に設けられ、先端部が前記筐体外部に露出可能とされて、外部の充電装置の電極と電気的に接触することにより入力される電力で前記電源部を充電するための端子と、
前記端子の周囲に設けられ、前記筐体への取り付け時には前記筐体の密閉状態を維持し、前記筐体からの取り外し時には前記端子を露出状態とする閉塞部材と、
を有し、前記閉塞部材の取り付け時には、前記二次側コイルユニットを用いた通常充電モードによる前記電源部の非急速充電が可能とされ、前記閉塞部材の取り外し時には、前記端子、又は前記端子と前記二次側コイルユニットと、を用いた急速充電モードによる前記電源部の急速充電が可能とされ、前記閉塞部材の着脱により前記急速充電モードと前記通常充電モードとが切り替えられる放射線撮像装置。
【請求項２】
前記請求項１記載の放射線撮像装置を収容する収容部が設けられ、
前記収容部に前記放射線撮像装置が収容されたときに、前記二次側コイルと対峙する位置に前記非接触型の充電装置の前記一次側コイルユニットが配置されると共に、前記端子と電気的に接続可能な位置に前記外部の充電装置の前記電極が配置され、
前記放射線撮像装置が収容部に収容される際、前記閉塞部材により前記筐体が前記密閉状態であるときは、前記二次側コイルユニットを用いて前記電源部を充電し、
前記閉塞部材が取り外されて前記端子が露出状態であるときは、前記端子、又は前記端子と前記二次側コイルユニットと、を用いて前記電源部を充電するクレードル。
【請求項３】
前記端子と前記外部の充電装置の前記電極とが接触した場合に、前記外部の充電装置を用いる前記急速充電モードで前記電源部を充電し、前記端子と電極とが接触していない場合に、前記非接触型の充電装置を用いる前記通常充電モードで前記電源部を充電する請求項２記載のクレードル。
【発明の詳細な説明】
【技術分野】
【０００１】
本発明は、少なくとも、放射線を受けることで電荷を蓄積する画素が二次元配列されて構成され、前記放射線に基づく画像を撮像する撮像プレートと、前記撮像プレートで撮像された画像のデータを記憶する画像データメモリと、前記撮像プレートと画像データメモリとに電力を供給する電源部とが、密閉された筐体内に収容された放射線撮像装置、並びにこの放射線撮像装置を収容するクレードルに関するものである。
【背景技術】
【０００２】
特許文献１には、放射検出器及び画像メモリを内蔵し、放射検出器によって検出された放射線画像を画像データとして画像メモリに格納しておき、画像メモリから読み出した画像データを無線信号に変換して外部の信号処理回路へ出力する構成の放射線撮像装置（放射線検出器用カセッテ、或いは電子カセッテともいう）が開示されている。
【０００３】
この電子カセッテは、医療現場で利用するものであり、衛生面、放射線取り扱いの観点から筺体は密閉構造であることが望ましい。この密閉構造が開示された先行技術として、特許文献２等がある。
【０００４】
一方で、電子カセッテは、消費電力が多く、省消費電力化が求められている。この省消費電力化のために、密閉構造内部に設けられた電池の蓄電量を監視し、所定以下になったときに無駄な電力を回避するべくパワーセーブモードに切り替える技術が提案されている（特許文献３参照）。
【特許文献１】特許第３４９４６８３号公報
【特許文献２】特開２００１−２２４５７９公報
【特許文献３】特開２００５−７０８６公報
【発明の開示】
【発明が解決しようとする課題】
【０００５】
しかしながら、救急現場などでは、急遽、緊急事態に電子カセッテを使用する場合がある。このような緊急事態のときに、電子カセッテの電池が十分に充電されていないと、対応ができないという問題がある。この緊急事態に対応できない理由の一つとして、電子カセッテの筺体を密閉構造とすると、必然的に電池の充電方式は非接触式充電によることとなり、急速な充電ができないことが挙げられる。
【０００６】
一方、電池低下によりパワーセーブすることは、残り少ない状態で電池の寿命を延ばすだけであり、緊急時の対応には不十分である。
【０００７】
本発明は上記事実を考慮し、通常の取り扱い状態では、筺体内部の密閉性を維持しつつ、緊急時には急速充電により電力不足を解消し、迅速な対応をすることができる放射線撮像装置及びクレードルを得ることが目的である。
【課題を解決するための手段】
【０００８】
請求項１に記載の発明は、少なくとも、放射線を受けることで電荷を蓄積する画素が二次元配列されて構成され、前記放射線に基づく画像を撮像する撮像プレートと、前記撮像プレートで撮像された画像のデータを記憶する画像データメモリと、前記撮像プレート及び前記画像データメモリに電力を供給する電源部とが、密閉された筐体内に収容された放射線撮像装置であって、前記筐体内に設けられ、非接触型の充電装置の一部を構成し、外部に設けられた一次側コイルユニットから電磁誘導作用により受ける電力で前記電源部を充電するための二次側コイルユニットと、前記電源部に設けられ、先端部が前記筐体外部に露出可能とされて、外部の充電装置の電極と電気的に接触することにより入力される電力で前記電源部を充電するための端子と、前記端子の周囲に設けられ、前記筐体への取り付け時には前記筐体の密閉状態を維持し、前記筐体からの取り外し時には前記端子を露出状態とする閉塞部材と、を有し、前記閉塞部材の取り付け時には、前記二次側コイルユニットを用いた通常充電モードによる前記電源部の非急速充電が可能とされ、前記閉塞部材の取り外し時には、前記端子、又は前記端子と前記二次側コイルユニットと、を用いた急速充電モードによる前記電源部の急速充電が可能とされ、前記閉塞部材の着脱により前記急速充電モードと前記通常充電モードとが切り替えられる。
【０００９】
請求項１記載の発明によれば、二次側コイルユニットにより電磁誘導作用により充電が可能（通常充電モードによる非急速充電）であるため、筐体の密閉性が維持される。また、緊急時には、端子を外部の充電装置の電極と電気的に接触することで、電磁誘導作用による充電よりも速く充電することができる（急速充電モードによる急速充電）。この両者を併せ持つことで、通常時は、閉塞部材による端子の周囲の閉塞で筐体の密閉性を維持した充電ができ、緊急時は、閉塞部材の取り外しによる端子と電極との電気的接続による迅速な充電が可能となる。
【００１０】
なお、前記端子の露出は、筐体の輪郭（シルエット）からの突出のみならず、筐体の一部に凹陥部を形成し、この凹陥部の凹陥の範囲内で端子を露出することを含む。この場合、シルエット上は、端子は露出しないが、実質的に筐体から露出する形となる。
【００１３】
このような電源部には、ニッカド、ニッケル水素、キャパシタ（電気２重層コンデンサ）等を用いることができる。
【００１５】
また、本発明では、例えば、閉塞部材が端子周囲を閉塞しているときは、端子が隠蔽されているので、必然的に非急速充電を行う通常充電モードになり得る。一方、閉塞部材が取り外されたときは、端子が露出されて電極に電気的に接触できるので、少なくとも接触による充電（急速充電モード）とすることができる。
【００１６】
なお、接触充電への切り替え時は、前記通常充電モード（非接触充電）と併用してもよい。
【００１９】
請求項２に記載のクレードルは、前記請求項１記載の放射線撮像装置を収容する収容部が設けられ、前記収容部に前記放射線撮像装置が収容されたときに、前記二次側コイルと対峙する位置に前記非接触型の充電装置の前記一次側コイルユニットが配置されると共に、前記端子と電気的に接続可能な位置に前記外部の充電装置の前記電極が配置され、前記放射線撮像装置が収容部に収容される際、前記閉塞部材により前記筐体が前記密閉状態であるときは、前記二次側コイルユニットを用いて前記電源部を充電し、前記閉塞部材が取り外されて前記端子が露出状態であるときは、前記端子、又は前記端子と前記二次側コイルユニットと、を用いて前記電源部を充電する。
【００２０】
請求項２に記載の発明によれば、閉塞部材が端子周囲に取り付けられて閉塞することで、二次側コイルユニットと一次側コイルユニットとの電磁誘導による非接触充電が適用され、閉塞部材が取り外されて端子を露出することで、端子と電極が電気的に接続する接触充電が適用される。
また、請求項３に記載のクレードルは、前記端子と前記外部の充電装置の前記電極とが接触した場合に、前記外部の充電装置を用いる前記急速充電モードで前記電源部を充電し、前記端子と電極とが接触していない場合に、前記非接触型の充電装置を用いる前記通常充電モードで前記電源部を充電する。
【発明の効果】
【００２１】
以上説明した如く本発明では、通常の取り扱い状態では、筺体内部の密閉性を維持しつつ、緊急時には急速充電により電力不足を解消し、迅速な対応をすることができる放射線撮像装置及びクレードルが得られる。
【発明を実施するための最良の形態】
【００２２】
図１には、本実施の形態に係る電子カセッテ１０が示されている。この電子カセッテ１０は、内部に収容されている後述する機能部品が密閉されるように筐体１２によって被覆されている。
【００２３】
筐体１２には、表裏面を貫通する長孔１４が設けられており、ユーザが指を入れることで把持することができる構造となっている。
【００２４】
前記機能部品としては、大きく分類して放射線画像を撮像する撮像プレート１６と、撮像プレート１６で撮像した放射線画像を記憶する画像メモリ１８と、を備えている。
【００２５】
図２に示される如く、撮像プレート１６は、ＴＦＴアクティブマトリクス基板２０と、ゲート線ドライバ２２と、信号処理部２４と、で構成されている。前記ゲート線ドライバ２２と、信号処理部２４とにより、マトリクス状の配線パターンが形成され、その交点毎に設けられたＴＦＴ（Thin Film Transistor）の動作を制御するようになっている。
【００２６】
図３に示される如く、前記電子カセッテ１０の筐体１２における撮像面４８には、放射線発生部５０から照射され、被写体５２を介して投影されるようになっており、この投影画像が前記放射線画像として前記撮像プレート１６に撮像される。
【００２７】
（撮像プレート１６の詳細構成）
次に、電子カセッテ１０の電気系の構成を説明する。電子カセッテ１０の撮像プレート１６は、ＴＦＴアクティブマトリクス基板２０上に、放射線を吸収して電荷に変換する光電変換層が積層されて構成されている。光電変換層は例えばセレンを主成分（例えば含有率５０％以上）とする非晶質のａ−Ｓｅ（アモルファスセレン）から成り、放射線が照射されると、照射された放射線量に応じた電荷量の電荷（電子−正孔の対）を内部で発生することで、照射された放射線を電荷へ変換する。また、ＴＦＴアクティブマトリクス基板２０上には、光電変換層で発生された電荷を蓄積する蓄積容量３４と、蓄積容量３４に蓄積された電荷を読み出すためのＴＦＴ３６を備えた画素部４０（図２では個々の画素部４０に対応する光電変換層を光電変換部３８として模式的に示している）がマトリクス状に多数個配置されており、電子カセッテ１０への放射線の照射に伴って光電変換層で発生された電荷は、個々の画素部４０の蓄積容量３４に蓄積される。これにより、電子カセッテ１０に照射された放射線に担持されていた画像情報は電荷情報へ変換されてＴＦＴアクティブマトリクス基板２０に保持される。
【００２８】
また、ＴＦＴアクティブマトリクス基板２０には、一定方向（行方向）に延設され個々の画素部４０のＴＦＴ３６をオンオフさせるための複数本のゲート配線４２と、ゲート配線４２と直交する方向（列方向）に延設されオンされたＴＦＴ３６を介して蓄積容量３４から蓄積電荷を読み出すための複数本のデータ配線４４が設けられている。個々のゲート配線４２はゲート線ドライバ２２に接続されており、個々のデータ配線４４は信号処理部２４に接続されている。個々の画素部４０の蓄積容量３４に電荷が蓄積されると、個々の画素部４０のＴＦＴ３６は、ゲート線ドライバ２２からゲート配線４２を介して供給される信号により行単位で順にオンされ、ＴＦＴ３６がオンされた画素部４０の蓄積容量３４に蓄積されている電荷は、電荷信号としてデータ配線４４を伝送されて信号処理部２４に入力される。従って、個々の画素部４０の蓄積容量３４に蓄積されている電荷は行単位で順に読み出される。
【００２９】
図示は省略するが、信号処理部２４は、個々のデータ配線４４毎に設けられた増幅器及びサンプルホールド回路を備えており、個々のデータ配線４４を伝送された電荷信号は増幅器で増幅された後にサンプルホールド回路に保持される。また、サンプルホールド回路の出力側にはマルチプレクサ、Ａ／Ｄ変換器が順に接続されており、個々のサンプルホールド回路に保持された電荷信号はマルチプレクサに順に（シリアルに）入力され、Ａ／Ｄ変換器によってデジタルの画像データへ変換される。信号処理部２４には画像メモリ１８が接続されており、信号処理部２４のＡ／Ｄ変換器から出力された画像データは画像メモリ１８に順に記憶される。画像メモリ１８は複数フレーム分の画像データを記憶可能な記憶容量を有しており、放射線画像の撮影が行われる毎に、撮影によって得られた画像データが画像メモリ１８に順次記憶される。
【００３０】
ところで、前記撮像プレート１６への放射線画像の撮像、並びに画像メモリ１８への放射線画像の記憶には、電力が必要である。この電力は、前記筐体１２の内方空間に設けられた電源部４６から供給されるようになっている。言い換えれば、前記電源部４６は、外部とは完全に閉塞された環境に置かれていることになる。
【００３１】
この電源部４６には、非接触型の充電装置５４によって適宜充電されるようになっている。非接触型の充電装置５４は、その原理として、ＩＰＴ（Induction Power Transmission）を利用している。
【００３２】
ＩＰＴとは、ケーブルやプラグ、パンタグラフなど金属同士を接触させずに充電を行うもので、電磁誘導現象を利用した充電システムである。具体的には、一次側のコイルから発生した磁束をコアを通じて二次側コイルで受け取る仕組みとなっている。
【００３３】
また、図１及び図２に示される如く、前記筐体１２内における底部（前記長孔１４が形成された側とは反対側）には、充電装置５４の二次側コイルユニット５６が配設されている。なお、一次側コイルユニット５８は、後述するクレードル６０のポケットユニット６２に配置されている（図５参照）。
【００３４】
図４（Ａ）には、電子カセッテ１０を収容して保管するクレードル６０が示されている。このクレードル６０は、矩形状の台座６４と、この台座６４の上面から垂直に立設された垂直壁部６６とで構成されたスタンド６８を備えている。このスタンド６８の垂直壁部６６は、その片面にポケットユニット６２を有している。ポケットユニット６２は、箱形で上部が開口しており、厚さ方向内寸は前記電子カセッテ１０の厚さ寸法よりも若干大きく形成されている。この箱形のポケットユニット６２に電子カセッテ１０が収容可能となっている。
【００３５】
また、ポケットユニット６２には、厚さ方向前方側の壁面上端部の開口が拡大するように屈曲された屈曲部７０が形成されている。この屈曲部７０は、電子カセッテ１０を挿入するときの案内面としての役目を有する。これにより、ポケットユニット６２には、電子カセッテ１０が円滑に収容される。なお、電子カセッテ１０は、ポケットユニット６２への収容時に前記二次側コイルユニット５６が下になるように収容される（図４（Ｂ）参照）。
【００３６】
図５（Ａ）及び（Ｂ）に示される如く、ポケットユニット６２の底部には、前記一次側コイルユニット５８が配置されている。一次側コイルユニット５８は、クレードル６０内の電力供給部７２に接続されている。電力供給部７２は、コンセント７４を介して商用電源に接続されている。
【００３７】
これにより、一次側コイルユニット５８は、電力供給部７２からの電力供給を受けて、電気エネルギーを磁気エネルギーに変換して二次側コイルユニット５６へ伝送する。電子カセッテ１０の二次側コイルユニット５６は、受け取った磁気エネルギーを電気エネルギーに変換することで、電力伝送が実行される。従って、電子カセッテ１０の電源部４６は、一次側コイルユニット５８に接触することなく充電される（非接触型充電）。
【００３８】
ところで、非接触型充電は、充電時の伝送処理速度が低速であり、またエネルギー効率が悪いので充電に比較的時間がかかる。これは、電子カセッテ１０を一般的に使用する場合、すなわち充分な充電時間を確保できるときには支障はない。
【００３９】
ところが、電子カセッテ１０を長時間使用した直後（短期間のインターバル後）に再使用するような場合等、電源部４６の充電が不十分となる。電源部４６の充電が不十分だと、撮像画像の品質劣化や、撮像ミスといった現象が起こる。
【００４０】
そこで、本実施の形態では、電子カセッテ１０に、電磁誘導によって充電する機能（非接触充電機能）に加え、端子を直接電気的に接続して充電する機能（接触充電機能）を持たせた。なお、前記接触型充電機能は、通常時は使用されない形態をとっている。
【００４１】
この接触型充電機能を実行する電力供給部７２は、前記クレードル６０のポケットユニット６２の底部に設けられている（図５参照）。電力供給部７２には、この接触型充電用端子ユニット７６がリード線７８を介して接続されている。
【００４２】
接触型充電用端子ユニット７６は、ポケットユニット６２の底部における図５の右端部に配置されている。この接触型充電用端子ユニット７６に対向するように、電子カセッテ１０には、電源部４６から一対の端子８０が突出されている。端子８０が突出される電子カセッテ１０の底部には、凹陥部８２が形成されている。端子８０は、この凹陥部８２の領域内で突出している。
【００４３】
また、凹陥部８２には、パッキン８４が着脱可能となっている。パッキン８４は、ストラップ８６を介して電子カセッテ１０に接続され、脱落して紛失することが防止されている。また、パッキン８４が凹陥部８２に嵌合したときは、凹陥部８２は、外部から密閉された空間となる。これにより、接触型充電機能不使用時には、電子カセッテ１０の密閉構造が維持される。
【００４４】
前記凹陥部８２は、高分子材料、例えばエラストマー、又はプラスチックで成型された成型部材８２Ａによって覆われており、筐体１２との隙間が密閉されている。また、パッキン８４は高分子材料、例えばエラストマー、又はプラスチックで成型された成型部材である。なお、エラストマーは、ゴム又は熱可塑性エラストマー等がある。
【００４５】
一方、接触型充電機能を使用する際には、パッキン８４を外した状態でポケットユニット６２に装填すると、一対の端子８０と接触型充電用端子ユニット７６とが対向する。接触型充電用端子ユニット７６は、前記リード線７８に接続された一対の電極８８とこの一対の電極８８が上面に突出するように取り付けられる可動プレート９０と、を有している。
【００４６】
この可動プレート９０は、ポケットユニット６２の貫通孔９４に設けられた仕切りベース９６上に配置されている。前記仕切りベース９６には、一対の円孔９８が設けられており、仕切りベース９６の下から一対の摺動ピン１００が挿入され、その先端部が可動プレート９０に固定されている。
【００４７】
仕切りベース９６と可動プレート９０との間の摺動ピン１００には、圧縮コイルばね１０２が取り付けられている。
【００４８】
この圧縮コイルばね１０２により、可動プレート９０は仕切りベース９６に対して押し上げられる方向に付勢されている。この状態でパッキン８４が外された電子カセッテ１０がポケットユニット６２に装填されると、電子カセッテ１０側の一対の端子８０と、接触型充電用端子ユニット７６側の一対の電極８８と電気的に接触すると共に、その相対位置関係により、可動プレート９０は、圧縮コイルばね１０２の付勢力に抗して押し下げられ、所定の接触圧が確保される。
【００４９】
一方、電子カセッテ１０の凹陥部８２にパッキン８４が装着されていた場合、電子カセッテ１０がポケットユニット６２に装填されると、パッキン８４が一対の電極８８と対向することとなる。
【００５０】
この場合、パッキン８４が可動プレート９０を押圧する。可動プレート９０は、圧縮コイルばね１０２の付勢力に抗して押し下げられるが、このとき前記一対の端子８０が可動プレート９０を押圧したときよりも、より大きく押される余裕を持っている。このため、電子カセッテ１０は、パッキン８４を付けたままポケットユニット６２に装填されても、パッキン８４を外して装填するときと同じ位置となる。
【００５１】
以下に本実施の形態の作用を説明する。
【００５２】
図３に示される如く、電子カセッテ１０は、放射線画像の撮影時に、エックス線（Ｘ線）等の放射線を発生する放射線発生部５０と間隔を空けて配置される。このときの放射線発生部５０と電子カセッテ１０との間は被写体５２が位置するための撮影位置とされており、放射線画像の撮影が指示されると、放射線発生部５０は予め与えられた撮影条件等に応じた放射線量の放射線を射出する。放射線発生部５０から射出された放射線は、撮影位置に位置している被写体５２を透過することで画像情報を担持した後に電子カセッテ１０に照射される。
【００５３】
電子カセッテ１０の前記撮像プレート１６に照射された放射線画像は、信号処理部２４による処理の後、画像メモリ１８に送られ、この画像メモリ１８に記憶される。
【００５４】
なお、電子カセッテ１０は、撮像位置に合わせるよう被写体５２によって把持されてもよいし、電子カセッテ１０を設置するスタンドを用意してもよい。
【００５５】
このように、電子カセッテ１０は、持ち運び可能な構成となっており、内部にある電源部４６に充電された電力で動作する。
【００５６】
ここで電子カセッテ１０が使用されることにより、電源部４６の蓄電量が減少する。蓄電量が減少すると、電子カセッテ１０の電源部４６を対象として充電する必要がある。電子カセッテ１０は、クレードル６０に装填されることで充電される（通常充電、急速充電）。充電されると、再度、電子カセッテ１０の使用をすることができる。
【００５７】
この電子カセッテ１０は、できる限り密閉であることが望まれており、密閉性を保ちながら充電可能な非接触型充電機能が一般に用いられている（通常充電モード）。しかし、充電に時間を要する非接触型充電だと、緊急に電子カセッテ１０を充電しなければならないときに間に合わないため、本実施の形態では接触型充電を併用して充電する（急速充電モード）。
【００５８】
（通常充電）
急速に充電する必要がない場合には、電子カセッテ１０の密閉性を保つためにも、接触型充電機能を使用せずに非接触型充電機能のみで充電することが好ましい。このため、通常時では、電子カセッテ１０は、非接触型充電機能のみで充電される。
【００５９】
図５（Ａ）に示される如く、通常充電をする場合、電子カセッテ１０は、パッキン８４を閉じたままの状態で、クレードル６０のポケットユニット６２へ装填される。
【００６０】
このとき、図６（Ａ）に示される如く、電子カセッテ１０は、パッキン８４が閉じられたままである。一対の端子８０は、パッキン８４に覆われたまま凹陥部８２へ収容される。そのため、電子カセッテ１０側の一対の端子８０が、クレードル６０側の一対の電極８８と接触することはない。従って、クレードル６０側の接触型充電用端子ユニット７６から充電されることはない。
【００６１】
代わりに、凹陥部８２に装着されたパッキン８４が、接触型充電ユニット７６に接触することになるが、この接触型充電用ユニット７６は、圧縮コイルばね１０２の付勢力に抗して摺動ピン１００に沿って押し下げられるので、電子カセッテ１０のポケットユニット６２への装填が邪魔をされることはない（正常な装着状態）。
【００６２】
電子カセッテ１０がクレードル６０に正常な装着状態で装填されると、電子カセッテ１０の二次側コイルユニット５６と、クレードル６０の一次側コイルユニット５８とが所定の間隔で対峙する（非接触）。これにより、商用電源の電力が、コンセント７４を介して電力供給部７２から一次側コイルユニット５８へ供給される。
【００６３】
一次側コイルユニット５８では、電気エネルギーを受け取ると磁気エネルギーに変換して、電子カセッテ１０側の二次側コイルユニット５６へ磁気エネルギーを伝送する。
【００６４】
クレードル６０から磁気エネルギーを受け取ると、二次側コイルユニット５６では、磁気エネルギーを電気エネルギーに変換する。これを、電子カセッテ１０の電源部４６へ送り、電源部４６に電気エネルギーが蓄えられて、充電が完了する。
【００６５】
（急速充電）
一方、緊急時に充電が足りない場合、非接触の充電装置５４だけでは急速に充電することができない。そこで、エネルギー効率の高い接触の電力供給部７２を併用して充電をすることができる（急速充電）。この接触の電力供給部７２を併用すれば、電子カセッテ１０を急速に充電することができ、緊急時にも対応することができる。
【００６６】
図５（Ｂ）に示される如く、急速充電をする場合、電子カセッテ１０は、パッキン８４を開けた状態で、クレードル６０のポケットユニット６２へ装填される。なお、パッキン８４は、ストラップ８６を介して電子カセッテ１０に接続されたままの状態となる。
【００６７】
図６（Ｂ）に示す如く、電子カセッテ１０がクレードル６０に装填されると、電子カセッテ１０の一対の端子８０と、クレードル６０の一対の電極８８とが電気的に接触する。
【００６８】
このとき、接触型充電用ユニット７６は、圧縮コイルばね１０２の付勢力に抗して押し下げられる。その押し下げられたときの圧縮コイルばね１０２の反発力（付勢力）によって、一対の電極８８と一対の端子８０とが互いに所定の接触圧で接触するので、接触不良がない。
【００６９】
一対の電極８８と一対の端子８０とが接触することで、一対の電極８８を介して電源部４６が充電される。
【００７０】
以上説明したように、本実施の形態では、通常は電子カセッテ１０をクレードル６０に装填することにより、非接触型の充電機能によって充電されるようになっているが、接触型充電の場合、パッキン８４を外すことで、一対の電極８８と一対の端子８０とが接触し、物理的に配線された状態で充電されるので、非接触型充電よりエネルギー効率がよく、充電完了まで短時間で済む。
【００７１】
なお、本実施の形態では、パッキン８４の着脱により、通常充電か急速充電かを替えていたが、端子８０が電極８８に電気的に接触したことを検出することで通常充電から急速充電に自動的に切り替えるようにしてもよい。
【００７２】
また、本実施例では、接触型充電の場合に非接触型充電を併用したが、接触型充電による場合は接触型充電のみ、また非接触型充電による場合は非接触型充電のみというように、それぞれ個別に充電機能を用いるようにしてもよい。
【００７３】
さらに、本実施の形態では、電子カセッテ１０を充電するためにクレードル６０に装填するようにしたが、特にこれに限定されるものではなく、携帯用充電アダプタにより、クレードル６０以外の場所でも充電できるようにしてもよい。
【００７４】
この場合、クレードル６０に取り付けられた接触型充電用端子ユニット７６を着脱可能にすることもできる。
【００７５】
また、電子カセッテ１０には、画像メモリ１８に記録された撮像画像を、外部とアクセスして転送するＵＳＢ端子１１０（図７参照）が取り付けられたものがある。この場合、ＵＳＢ端子１１０を接触充電用の端子として併用することも可能である。
【００７６】
なお、現状のＵＳＢの規格では、５Ｖ、５００ｍＡ（Ｍａｘ）であり、急速充電に必ずしも耐えられるものではない。しかしながら、２００７年４月にＵＳＢ規格のとりまとめを行う団体（USB Implemeters Forum）から５００ｍＡを超えても電流を供給（すなわち充電）できるものが提案されており（Battery Charging Revision 1.0）、これを応用すれば、ＵＳＢ端子１１０を用いた急速充電は実現可能である（以下の（ＵＲＬ−１）参照）。
（URL-1）  http://www.usb.org/pressroom/2007_04_17_usbif3.pdf（2008/3/5現在）
このＵＳＢ端子１１０の周辺はエラストマーやゴムなどで密閉されているのが一般的であるので、通常使用時、及び非接触充電時の筐体１２内の密閉性は維持されている。
【００７７】
さらに、凹陥部８２を筐体１２の底部に設けたが、底部に限定されるものではなく、筐体１２の正面、背面、側面、上面のいずれに設けてもよい。なお、クレードル６０が存在する場合は、クレードル６０への装着のとき、充電装置５４に対峙するような位置であることが好ましい。
【図面の簡単な説明】
【００７８】
【図１】本実施の形態に係る電子カセッテの構成図である。
【図２】本実施の形態に係る電子カセッテの概略構成を示すブロック図である。
【図３】本実施の形態に係る電子カセッテの使用方法を示す図である。
【図４】本実施の形態に係る電子カセッテとクレードルとを示す斜視図である。
【図５】本実施の形態に係るクレードルに電子カセッテが差し込まれた状態を示す正面図であり、（Ａ）は通常充電モード状態、（Ｂ）は急速充電モード状態を示す。
【図６】本実施の形態に係る接触充電部分を示す拡大図であり、（Ａ）はパッキン装着時、（Ｂ）はパッキン取り外し時を示す。
【図７】本実施の形態の変形例に係る接触充電部分の拡大斜視図である。
【符号の説明】
【００７９】
１０    電子カセッテ（放射線撮像装置）
１２    筐体
１４    長孔
１６    撮像プレート
１８    画像メモリ（画像データメモリ）
２０    ＴＦＴアクティブマトリクス基板
２２    ゲート線ドライバ
２４    信号処理部
３４    蓄積容量
３６    ＴＦＴ
３８    光電変換部
４０    画素部
４２    ゲート配線
４４    データ配線
４６    電源部
４８    撮像面
５０    放射線発生部
５２    被写体
５４    充電装置
５６    二次側コイルユニット
５８    一次側コイルユニット
６０    クレードル
６２    ポケットユニット
６４    台座
６６    垂直壁部
６８    スタンド
７０    屈曲部
７２    電力供給部
７４    コンセント
７６    接触型充電用端子ユニット
７８    リード線
８０    端子
８２    凹陥部
８２Ａ  成型部材
８４    パッキン（閉塞部材）
８６    ストラップ
８８    電極
９０    可動プレート
９４    貫通孔
９６    仕切りベース
９８    円孔
１００    摺動ピン
１０２    圧縮コイルばね
１１０    ＵＳＢ端子
【図１】
0004954923.tif 000002
【図２】
0004954923.tif 000003
【図３】
0004954923.tif 000004
【図４】
0004954923.tif 000005
【図５】
0004954923.tif 000006
【図６】
0004954923.tif 000007
【図７】
0004954923.tif 000008